(57)【要約】本発明は、２極切り換えのための機械的切り換え接点であって、絶縁材支持体を備え、絶縁材支持体には固定接点が配設されており、固定接点は、自由端にそれぞれ伝導する接触部材を備えた旋回アームを有する接点支持体によって選択的に切り換え可能である上記機械的切り換え接点に関する。その際機械的切り換え接点は、任意に組み合わせられ得るモジユール構造群として形成されている。
2004511883.tif 000002
【特許請求の範囲】
【請求項１】
２極切り換え、特にタップ切換器の負荷時切換器における機械的開閉接点であって、次の特徴、即ち、
機械的開閉接点は絶縁材支持体（１） を有し、絶縁材支持体には対状に並んでかつ更に対状に向かい合って位置する固定接点（４，５；６，７） が配設されており、
絶縁材支持体（１） には、接点支持体（２） が回動可能に支承されており、接点支持体はその両自由端の一方に旋回アーム（２．２） をかつその他方の自由端に操作部材（２．６） を有し、
旋回アーム（２．２） には、導電接触部材（８） が、静止状態における接点支持体（２） のそれぞれ可能な最終位置に依存してそれぞれ両側の一側に対状に並んで配設されている固定接点（４と５ 又は６ と７）を互いに導電的に接続し、
旋回アーム（２．２） の両側には、伸縮案内（９，１０）がそれぞれ１ つの圧縮ばね（１１，１２） を備え、圧縮ばねは、接点支持体（２） がスナップ作用を受けかつ操作部材（２．６） への力作用の際に一方の静止状態から他方の静止状態に急激に旋回可能であるように、それぞれその一方の自由端で接点支持体（２） にかつその他方の自由端で絶縁材支持体（１） に支持されることを特徴とする前記機械的開閉接点。
【請求項２】
伸縮案内（９，１０）が、それぞれ１ つの圧縮ばね（１１ 及び１２） によってそのそれぞれ一方の自由端で接点支持体（２） の対抗軸受部（２．４，２．５） にかつそれぞれ他方の自由端で絶縁材支持体（１） の球状収容部（１．７，１．８） に、支持点で三次元の空間的支承が得られることができるように、支持されることを特徴とする請求項１に記載の機械的開閉接点。
【請求項３】
絶縁材支持体が、少なくとも２ つの同一の機械的開閉接点が互いにモジュール状に連結可能であるように、縦案内（１．１〜１．４）を有することを特徴とする請求項１ 又は２ に記載の機械的開閉接点。
【請求項４】
接触部材（８） が、接点収容部（２．３） の中央領域で旋回アーム（２．２） に保持されており、かつその両自由端に、それぞれ１ つの接触ローラ（８．１，８．２） を有し、接触ローラは固定接点（４〜７）のそれぞれ１ つと協働することを特徴とする請求項１ から３ までのうちのいずれか１ つに記載の機械的開閉接点。
【発明の詳細な説明】
【０００１】
【発明の属する技術分野】
本発明は、特に、タップ切換器の負荷時切換器における２ 極切り換えのための機械的開閉接点に関する。
【０００２】
【従来の技術】
国際出願ＷＯ９５／２４７２４から、１ つの機械的開閉接点と同様に１ つの機械的抵抗開閉接点とを有する、タップ切換器の負荷時切換器用の切換装置が公知である。その際主開閉接点も抵抗開閉接点もそれぞれ２ つの互いに結合されて作動可能な個別遮断接点から成り、その際主開閉接点及び抵抗開閉接点のそれぞれ１ 方の個別遮断接点は、負荷時切換器の第１ 側と電気的に接続しており、かつ主開閉接点及び抵抗開閉接点のそれぞれ他方の個別遮断接点は、負荷時切換器の第２ 側と電気的に接続している。この構成では、主開閉接点の個別遮断接点は第１ 交換開閉器によって、抵抗開閉接点の個別遮断接点は第２ 交換開閉器によって接続可能である。２ つの交換開閉器によるそれぞれ２ 極切り換えが行われる。
【０００３】
国際出願ＷＯ９６／３０９２２からそのような２ 極切り換えの技術的実現可能性として、回動軸の周りに旋回可能なレバー状の機械的開閉接点が設けられたタップ切換器用負荷時切換器が公知である。更にばね負荷されたトグルレバーが設けられ、トグルレバーは機械的開閉接点が死点を介して２ つの切換位置を占めることができるような方法で、回動可能に支承された機械的開閉接点上に作用する。両可動接点は、各位相のために負荷時切換器の外方領域において同一水平面内に別々に配設されている。
【０００４】
しかし、２ 極遮断のための機械的開閉接点のこの公知の実施形態は、複雑で、技術的にコスト高であり、組み立て後に正確な調整を必要とし、更に比較的に多くのスペースを必要とする。
【０００５】
【発明が解決しようとする課題】
従って、本発明の課題は、簡単に構成されかつできる限り容易に組み立てられる構成部分からなり、その際モジュール式にかつ独自の構造群から形成され、構造群は更に調整作業又は適合作業なしに、負荷時切換器に組み込まれることができかつそこでできる限り僅かなスペースしか必要としない、２ 極切り換えのための機械的開閉接点を提供することである。
【０００６】
【課題を解決するための手段】
本発明の課題は、請求項１ の特徴を有する機械的開閉接点によって解決される。従属請求項は本発明の特に有利な他の構成に関する。
【０００７】
本発明による機械的開閉接点の他の利点は、その極端にコンパクトで、簡単な構成にある。少ない部品によって、機械的な主開閉接点も機械的な抵抗開閉接点も同一のモジュール構造群として製造される。主開閉接点用にも抵抗開閉接点用にも同一のモジュール式機械的開閉接点が使用可能であり、各位相の主開閉接点も抵抗開閉接点も簡単な方法で２ つの同一の、互いに結合した本発明によるモジュール開閉接点から成る共通の構造群として実現される。
【０００８】
本発明を図示の実施例に基づいて、詳しく説明する。
【０００９】
【実施例】
先ず、図１ に表された本発明による機械的開閉接点を詳しく説明する。機械的開閉接点は、次に記載される他の構成部分を収容する絶縁材支持体１ を有する。絶縁材支持体１ は、貫通孔の形の平行に向けられた縦案内１．１ 〜１．４ を備え、縦孔については、更に以下に詳しく説明する。更に、絶縁材支持体１ は２ つの支承個所１．５ 及び１．６ を有し、支承個所では１ つの接点支持体２ が１ つの支承軸３ によって回動可能に支承されている。両支承個所１．５，１．６ の領域には、側方の球状収容部１．７，１．８ が設けられ、球状収容部については、同様に更に詳しく説明する。更に、絶縁材支持体１ は付形された接点収容部１．９ 〜１．１２を有し、接点収容部には固定接点４ 〜７ が配設されている。
【００１０】
図２ に再度示された接点支持体２ は、軸受２．１ 及びすでに述べた支承軸３ によって絶縁材支持体１ に回動可能に支承されている。接点支持体２ は、旋回アーム２．２ を有し、旋回アーム２．２ は軸受２．１ を中心として旋回可能でありかつその自由端に接点収容部２．３ を有する。この接点収容部２．３ は、軸受２．１ 若しくは支承軸３ の縦軸線に対して平行に向けられている。接点収容部２．３ の領域で側方に、それぞれ１ つの対抗軸受部２．４ 若しくは２．５ が同様に球状に形成されている。接点収容部２．３ とは反対側の自由端に、接点支持体２ は操作部材２．６ を有する。接点収容部２．３ には導電接触部材８ が配設されており、導電接触部材は両自由端に接触ローラ８．１ 若しくは８．２ を有する。これらの接触ローラ８．１，８．２ は、接点支持体２ が軸受２．１ を中心としてどの方向に旋回されるかに従ってそれぞれ絶縁材支持体１ の一方の側の固定接点４ 及び５ と又は絶縁材支持体１ の他方の側の固定接点６ 及び７ と当接する。
【００１１】
接点支持体２ と絶縁材支持体１ との間には、２ つの伸縮案内９ 及び１０が側方に配設されている。これらの伸縮案内９，１０は、互いに移動可能な２ つの管部材からなる。管部材は各自由端に球状部９．１ 若しくは１０．１を有し、球状部によって管部材はそれぞれ絶縁材支持体１ の球状収容部１．７ 若しくは１．８ に支持されている。そのそれぞれ他の自由端に、伸縮案内９，１０は、球状支承部を有し、球状支承部によって、伸縮案内はそれぞれ両対抗軸受部２．４，２．５ において、両側で接点支持体２ に支持されている。追加的に、第１ 伸縮案内９ の周りに予圧された圧縮ばね１１があり、圧縮ばねは同様に球状収容部１．７ と対抗軸受部２．４ との間で接点支持体２ に支持されている。第２ 伸縮案内１０の周りには、完全に類似して、他の予圧された圧縮ばね１２が配設されており、圧縮ばねは、その側で球状収容部１．８ と他の対抗軸受部２．５ との間で接点支持体２ に支持されている。
【００１２】
図１ 中に示された位置において、両固定接点４ 及び５ は、接触部材８ によって電気的に接続している接触ローラ８．１ 及び８．２ を介して互いに接続している。負荷時切換器の作動の際に、ローラ等が操作部材２．６ に案内されかつ操作部材上を走行すると、接点支持体全体は予圧された圧縮ばね１１及び１２の力に抗してその軸受２．１ を中心として下方に旋回される。続いて、両接触部材８．１ 及び８．２ は、反対側の固定接点６ 及び７ を接続する。説明したばね１１及び１２と関連して、両伸縮案内９ 及び１０によって、簡単な方法で、スナップ機構が実現され、スナップ機構は一方では接点支持体２ が不特定の中間位置を占め得ることを阻止し、他方では、各固定接点に対する接触ローラ８．１ 及び８．２ の十分な接触圧力を付与する。それぞれ絶縁材支持体１ の球状収容部１．７ 若しくは１．８ に支承されたこれらの伸縮案内９ 若しくは１０の側方の球状部９．１ 若しくは９．２ は、その際空間的な三次元支承部として作用する。伸縮案内９ 及び１０は、切り換えの際、即ち、接点支持体２ の旋回の際にその長さも−伸縮状に形成されている−その空間的位置も変える。
【００１３】
図３ において、これらの２ つの開閉接点が示され、開閉接点は負荷時切換器の１ つの位相に対する完全な機械的開閉単位として構成されている。この際開閉接点Ｉは主開閉接点として作用し、他の開閉接点ＩＩは， 抵抗開閉接点として作用する。同一の部分は、同一の符号を有し−このことは両モジュールが完全に同一に構成されることと認識される。見通しの理由から、この図において、説明した詳細の全てには、符号がつけられていない。図３ 中では、ここの開閉接点に対して示すと同様に、接点支持体２ の操作部材２．６ の非対称形態が選択されている。ここでは、両開閉接点Ｉ及びＩＩは、１８０ °互いにずらされて組み込まれており、その結果両操作部材は、互いに向きが逆になっている。しかし、このことは、多くの可能な実施形態の１ つに過ぎない。両開閉接点Ｉ及びＩＩの連結は、それぞれ縦案内１．１ 〜１．４ によって案内されかつ両側でねじを切られた、共通の連結棒１３〜１６によって行われる。更に、図３ において、各開閉接点Ｉ及びＩＩのそれぞれ互いに向かいあって位置する固定接点４ 及び６ がそれぞれ１ つの連結ケーブル１７，１８ によって互いに電気的に接続していることがわかる。更に、各開閉接点の隣接した接点５ 及び７ が一方の側で第１ の導電接続部１９によってかつ相応して他方の側の相応して隣接した固定接点７ 及び５ が他の導電接続部２０によって互いに電気的に接続している。それによってタップ切換器の負荷時切換器での２ 極切り換えが実現されることができる。
【００１４】
このことは、図４ 中にもう一度表す。回路の上部領域において、タップ切換器の選択器が表され、タップ切換器は切り換えが行われるべきタップ切換器の新たな巻線タップｎ＋１ の電力を消費しない予備選択を行い、一方それまで選択されていた巻線タップｎ は、尚電気的に接続されている。その中で、負荷時切換器Ａ 及びＢ が示され、これらの間に順次負荷の下に中断のない切り換えが行われることになる。更に、その中で、機械的開閉接点が示され、左の分岐である主開閉分岐には、主開閉接点ＳＫが示されている。表示Ａ 及びＢ は、負荷時切換器のＡ 側又はＢ 側に対する相応した個別接点の各配置を表す。右の分岐である抵抗分岐には、完全に類似して抵抗開閉接点ＨＫＭ が示されている。表示は同様である。細線は、本発明による両機械的開閉接点Ｉ若しくはＩＩによって技術的に実現される回路の部分を示す。その中で主開閉分岐において、直列に接続された負荷避雷のための第１ 真空開閉セルＳＫＶ が示され、抵抗開閉分岐には、過渡抵抗と負荷避雷Ｌ のための第２ 真空開閉セルＨＫＶ の間の直列回路が表されている。
【図面の簡単な説明】
【図１】図１ は、本発明による機械的開閉接点の斜視図である。
【図２】図２ は、図１ に表す開閉接点の１ つだけの接点支持体である。
【図３】図３ は、主開閉接点及び抵抗開閉接点用のユニット単位相構造群としての図１ による本発明による２ つの開閉接点の組み合わせを示す図である。
【図４】図４ はどのようにして本発明による機械的開閉接点によって切り換えが実現可能であるかを示すタップ切換器の負荷時切換器の切り換えを示す図である。
【符号の説明】
１　 絶縁材支持体
２　 接点支持体
２．２ 旋回アーム
２．６ 操作部材
４　 固定接点
５　 固定接点
６　 固定接点
７　 固定接点
８　 導電接触部材
９　 伸縮案内
１０　伸縮案内
１１　圧縮ばね
１２　圧縮ばね
【国際公開パンフレット】
2004511883.tif 000003
2004511883.tif 000004
2004511883.tif 000005
2004511883.tif 000006
2004511883.tif 000007
2004511883.tif 000008
2004511883.tif 000009
2004511883.tif 000010
2004511883.tif 000011
2004511883.tif 000012
2004511883.tif 000013
2004511883.tif 000014
2004511883.tif 000015
2004511883.tif 000016
【国際調査報告】
2004511883.tif 000017
2004511883.tif 000018
2004511883.tif 000019
2004511883.tif 000020
2004511883.tif 000021
2004511883.tif 000022